(57)【要約】【課題】本発明は、プロジェクター等から投影される映像を広い視野角で映し出すことができ、しかもスクリーンの背後を認視することができる透視可能な透過型スクリーンを提供するものである【解決手段】光透過性モノフィラメント繊維で構成され繊維間空隙率が１０〜７０％である織物、編物または前記モノフィラメント繊維を縦横に配列した繊維構造体からなることを特徴とする。【選択図】　　図１
2004045443.tif 000002
【特許請求の範囲】
【請求項１】
光透過性モノフィラメント繊維で構成され繊維間空隙率が１０〜７０％である織物、編物または前記モノフィラメント繊維を縦横に配列した繊維構造体からなることを特徴とする透視可能な透過型スクリーン。
【請求項２】
光透過性モノフィラメント繊維で構成された織物、編物または前記モノフィラメント繊維を縦横に配列した繊維構造体を、光透過性材料で挟持してなることを特徴とする透視可能な透過型スクリーン。
【請求項３】
前記織物、編物または前記モノフィラメント繊維を縦横に配列した繊維構造体における繊維間空隙率が１０〜７０％であることを特徴とする請求項２記載の透視可能な透過型スクリーン。
【請求項４】
光透過性モノフィラメント繊維が、ポリエステル、ナイロン、ポリプロピレン、ポリエチレン、塩化ビニリデン、塩化ビニルから選ばれる少なくとも１種であることを特徴とする請求項１〜３のいずれかに記載の透視可能な透過型スクリーン。
【請求項５】
光透過性モノフィラメント繊維が、液晶ポリマーを内層とし光透過性樹脂を外層とした２層構造からなることを特徴とする請求項１〜３のいずれかに記載の透視可能な透過型スクリーン。
【請求項６】
光透過性樹脂が、ポリエステル、ナイロン、ポリプロピレン、ポリエステル、ナイロン、ポリプロピレン、ポリエチレン、塩化ビニリデン、塩化ビニル、ポリエーテルナフタレート、ポリフェニレンサルファイドから選ばれる少なくとも１種であることを特徴とする請求項５記載の透視可能な透過型スクリーン。
【請求項７】
光透過性材料が、アクリル系樹脂板またはシート、ポリオレフィン系樹脂板またはシート、ポリカーボネート樹脂板またはシートおよびポリエステル樹脂板またはシートから選ばれる少なくとも１種であることを特徴とする請求項２記載の透視可能な透過型スクリーン。
【発明の詳細な説明】
【０００１】
【発明の属する技術分野】
本発明は、プロジェクター用のスクリーン等に用いられる透過型スクリーンに関し、特に、プロジェクターから投影された映像をスクリーンを挟んでプロジェクターとは反対側から視認することができる背面投影型の透視可能な透過型スクリーンに関する。
【０００２】
【従来の技術】
従来、透過型スクリーンは光散乱層に偏光フィルム、フルネルレンズ、レンチキュラーレンズを使用したものの他に、微粒子状物質を使用したもの、あるいは繊維織布あるいは繊維成形品を用いたもの等が知られている。例えば、微粒子状物質を使用したものとして、酸化チタン被覆雲母を使用した透過型スクリーン（特開平１１−４４９１５）、球状ビーズを配した透過型スクリーン（特開２０００−１７１９０５）が提案されている。また繊維織布あるいは繊維成形品を用いたものとして、板状とした繊維を、この繊維よりも低屈折率の光透過性材料で積層した構造の透過型スクリーン（特開平６−２８２０１０）、また透過性繊維織物の繊維間に光透過性の材料を充填し繊維間に凹凸面を形成させた透過型スクリーン（特開平６−２７３８５１）が提案されている。これら透過型スクリーンはスクリーンの背後を透視してスクリーンの向こう側を見通すことは極めて困難なものである。
【０００３】
透過型スクリーンの透視性を改良した透視可能なものとして、例えば、特開２０００−２４２５４６には特定の球状微粒子を含有する光散乱層を用いた透視が可能な透過型スクリーンが提案されている。
【０００４】
【発明が解決しようとする課題】
本発明は、プロジェクター等から投影される映像を広い視野角で映し出すことができ、しかもスクリーンの背後を視認することができる透視可能な透過型スクリーン提供することを目的とするものである。
【０００５】
【課題を解決するための手段】
本発明者らは、微粒子状物質などを使用しない透視可能な透過型スクリーンについて鋭意検討を行なった結果、光透過性を有するモノフィラメント繊維からなるメッシュクロスを使用したスクリーンが透視可能であり、しかも鮮明な映像を映し出すことができることを見出し、本発明を為すに至った。
【０００６】
すなわち、本発明は、（１）光透過性モノフィラメント繊維で構成され繊維間空隙率が１０〜７０％である織物、編物または前記モノフィラメント繊維を縦横に配列した繊維構造体からなることを特徴とする透視可能な透過型スクリーンに関する。
【０００７】
また、本発明は（２）光透過性のモノフィラメント繊維で構成された織物、編物または前記モノフィラメント繊維を縦横に配列した繊維構造体を、光透過性材料で挟持してなることを特徴とする透視可能な透過型スクリーンに関する。
【０００８】
（３）前記織物、編物または前記モノフィラメント繊維を縦横に配列した繊維構造体における繊維間空隙率が１０％〜７０％であることを特徴とする上記（２）記載の透視可能な透過型スクリーンに関する。
【０００９】
（４）光透過性モノフィラメント繊維が、ポリエステル、ナイロン、ポリプロピレン、ポリエチレン、塩化ビニリデン、塩化ビニルから選ばれる少なくとも１種であることを特徴とする上記（１）〜（３）のいずれかに記載の透視可能な透過型スクリーンに関する。
【００１０】
（５）光透過性モノフィラメント繊維が、液晶ポリマーを内層とし光透過性樹脂を外層とした２層構造からなることを特徴とする上記（１）〜（３）のいずれかに記載の透視可能な透過型スクリーンに関する。
【００１１】
（６）光透過性樹脂が、ポリエステル、ナイロン、ポリプロピレン、ポリエステル、ナイロン、ポリプロピレン、ポリエチレン、塩化ビニリデン、塩化ビニル、ポリエーテルナフタレート、ポリフェニレンサルファイドから選ばれる少なくとも１種であることを特徴とする上記（５）記載の透視可能な透過型スクリーンに関する。
【００１２】
（７）光透過性材料が、アクリル系樹脂板またはシート、ポリオレフィン系樹脂板またはシート、ポリカーボネート樹脂板またはシートおよびポリエステル樹脂板またはシートから選ばれる少なくとも１種であることを特徴とする上記（２）記載の透視可能な透過型スクリーンに関する。
【００１３】
【発明の実施の形態】
本発明の透視可能な透過型スクリーンは、光透過性モノフィラメント繊維からなる織物、編物または前記モノフィラメント繊維を縦横に配列した繊維構造体からなる透過型スクリーンである。
【００１４】
本発明の透過型スクリーンはスクリーンの背後に在るものを見通すことができる透視可能なスクリーンであるので、見本市や展示会会場で液晶プロジェクター等によりスクリーンに投影して商品の紹介や説明等を行ない、同時にスクリーンの背後に展示されている商品等を観客にアピールすることができる。また、店舗のショーウインドウは商品を展示して商品等紹介したりするものであるが、このショーウインドウに本発明に係る透視可能な透過型スクリーンを配置することにより、商品の紹介や説明等の広告、あるいは飾り付けをスクリーンの背後から投影して消費者に商品等紹介を行なうことができるとともに、消費者に商品自体を見せることができる。また飲食店等では、本発明に係る透視可能な透過型スクリーンを設置して店内から外の景色が見えると同時に、宣伝あるいは景観の説明やデコレーション等を投影することにより店の宣伝などの演出を行なうことができる。
【００１５】
本発明の透視可能な透過型スクリーン（以下、単に「スクリーン」ということがある）について、図面を参照して詳細に説明する。
【００１６】
図１は、本発明におけるスクリーンの実施態様の一つである光透過性モノフィラメント繊維で構成された織物（メッシュクロス）の拡大模式図である。図２は、本発明に使用される２層構造のモノフィラメント繊維を示す模式図を示し、（ｂ）は（ａ）のＡ−Ａ断面図である。図３は、モノフィラメントの光拡散状態を示す模式図である。図４は、本発明の織物、編物などの繊維構造体からなるスクリーンを光透過性材料で挟持したスクリーンにおける光拡散状態を示す模式図である。
各図において、１はモノフィラメント繊維、２は繊維間の空隙部を示し、３は光透過性樹脂、４は液晶ポリマーを示し、５は光透過性材料を示す。
【００１７】
本発明のスクリーンは光透過性モノフィラメント繊維の織物、編物または前記モノフィラメント繊維を縦横に配列した繊維構造体で構成されるものであるが、繊維間空隙率、すなわち単位面積に占める開口部面積の比率が１０％〜７０％を占めるものである。本発明のスクリーンでは繊維間の空隙部分からスクリーンの背後を透視することができるものである。また、本発明のスクリーンは、図３の模式図で示すように、モノフィラメントの円形断面と、織物、編物等の繊維構造体の屈曲によって生じる光拡散作用を利用したものであり、広い視野角の映像を得ることができる。
【００１８】
従って、この空隙率がスクリーンの透視性および解像性に関連し、透視性の観点からは空隙率が高い方が良く、解像性の観点からは空隙率が低い方がよい。透視性を重視する場合には空隙率は４０％〜７０％の範囲がよく、解像性を重視する場合には空隙率は１０％〜５０％の範囲がよい。この空隙率は、例えば織物の場合織り密度と糸径との組合わせで決まる。メッシュクロスの織り密度は、縦横それぞれ２５本／吋〜５０８本／吋が好ましく、さらには１００本／吋〜５０８本／吋がより好ましい。
【００１９】
本発明に使用される上記モノフィラメントは、その直径が２０μｍ〜５００μｍが好ましく、さらには２０μｍ〜１００μｍであることがより好ましい。また、スクリーンの光透過率は可視光（波長３８０ｎｍ〜７００ｎｍ）の範囲において７０％以上、さらには８０％以上であることがより好ましい。光透過率が高い程鮮明な画像が得られる。また、光の反射率は低い方が鮮明な画像を得ることができる。本発明では、反射率は２０％以下であることが好ましく、１５％以下であることがより好ましい。
【００２０】
本発明における光透過性モノフィラメント繊維は、ポリエステル、ナイロン、ポリプロピレン、ポリエチレン、塩化ビニリデン、塩化ビニルから選ばれるものが例示される。また、内層が液晶ポリマーで外層が光透過性樹脂の２層構造からなる光透過性モノフィラメント繊維が使用される。本発明において、モノフィラメント繊維として２層構造のものを使用することによりより優れた映像を得ることができる。これは内層の液晶ポリマーの屈折率と外層の光透過性樹脂の屈折率との相違により光拡散効果が増すことによるものと推察される。
【００２１】
この２層構造のモノフィラメント繊維における外層を形成する光透過性樹脂は、例えば、ポリエステル、ナイロン、ポリプロピレン、ポリエステル、ナイロン、ポリプロピレン、ポリエチレン、塩化ビニリデン、塩化ビニル、ポリエーテルナフタレート、ポリフェニレンサルファイドから選ばれる少なくとも１種が挙げられる。
【００２２】
さらに本発明の透視可能な透過性スクリーンは、光透過性モノフィラメント繊維で形成される織物、編物または前記モノフィラメント繊維を縦横に配した繊維構造体からなるスクリーンを光透過性樹脂板またはシート等の光透過性材料で挟持した構造のスクリーンとすることができる。
【００２３】
光透過性材料で本発明に係る織物、編物または前記モノフィラメント繊維を縦横に配した繊維構造体からなるスクリーンを挟持した実施態様における投影光の拡散状態を示す模式図を図４に示す。図４に示すように、投影光は、例えばアクリル樹脂板等の光透過性材料５を通過するときとスクリーンを通過するときに、それぞれの屈折率の違いによって光拡散効果が増加される。
この実施態様は、光透過性材料で織物、編物または前記モノフィラメント繊維を縦横に配した繊維構造体を挟持しない実施態様に比較して強度があり、またスクリーンの表面が直接外部に露出していないことからスクリーン表面への傷付きなどを防ぐ効果をも有する。
【００２４】
光透過性材料としては、アクリル系樹脂板またはシート、ポリオレフィン系樹脂板またはシート、ポリカーボネート樹脂板またはシート、またはポリエステル樹脂板またはシート等の透明性に優れたものが挙げられる。尚、スクリーンの使用用途によっては光透過性材料として上記樹脂のフィルムを使用することもできる。
【００２５】
【実施例】
本発明のスクリーンについて実施例を挙げ、本発明の実施態様を具体的に説明する。尚、本発明は本実施例に限定されるものではない。
【００２６】
実施例１
フィラメントの直径が３５μｍのポリエステル製モノフィラメント２５５本／吋、空隙率４２％のメッシュ状の織物を作製し、厚さ５ｍｍの透明なアクリル樹脂板で挟持して透過型スクリーンを形成した。このスクリーンの光線透過率および反射率を測定したところ、光線透過率７５％〜８０％であり、反射率は１６％〜１７％であった。このスクリーンに背後から液晶プロジェクターにより映像を投影し、映像の視野角とスクリーン背後の透視性を確認した結果いずれも良好であった。
【００２７】
実施例２
フィラメントの直径が３０μｍの液晶ポリマーを内層とし光透過性樹脂を外層とした２層構造からなるモノフィラメント２５０本／吋、空隙率５０％のメッシュ状の織物を作製し、厚さ５ｍｍの透明なアクリル樹脂板で挟持して透過型スクリーンを形成した。このスクリーンの光線透過率および反射率を測定したところ、光線透過率７８％〜９１％であり、反射率は１１％〜１２％であった。このスクリーンに背後から液晶プロジェクターにより映像を投影し、映像の視野角とスクリーン背後の透視性を確認した結果いずれも良好であった。
【００２８】
実施例３
フィラメントの直径が３０μｍの液晶ポリマーを内層とし光透過性樹脂を外層とした２層構造からなるモノフィラメント２５０本／吋、空隙率５０％のメッシュ状の織物を作製し、これを透過型スクリーンとして、天井からカーテン状に吊り下げ、スクリーンに背後から液晶プロジェクターにより映像を投影した。
透過性であり支持体の無いカーテン状のスクリーンによりあたかも空中に浮遊した如きの映像を得ることができた。また、カーテン状のスクリーンを風等によりなびかせることにより静止画像でも動画的な画像を得ることができた。
【００２９】
なお、上記実施例において、光線透過率および反射率は、日立製作所製、モデルＵ−３３１０形分光光度計で測定した。
【００３０】
【発明の効果】
（１）本発明の透過型スクリーンはスクリーンの背後に在るものを見通すことができる透視可能なスクリーンであるので、見本市や展示会会場で液晶プロジェクター等によりスクリーンに投影して商品の紹介や説明等を行ない、同時にスクリーンの背後に展示されている商品等を観客にアピールすることができる。
【００３１】
（２）また、店舗のショーウインドウは商品を展示して商品等紹介したりするものであるが、このショーウインドウに本発明に係る透視可能な透過型スクリーンを配置することにより、商品の紹介や説明等の広告、あるいは飾り付けをスクリーンの背後から投影して消費者に商品等紹介を行なうことができるとともに、消費者に商品自体を見せることができる。
【００３２】
（３）また飲食店等では、本発明に係る透視可能な透過型スクリーンを設置して店内から外の景色が見えると同時に、宣伝あるいは景観の説明やデコレーション等を投影することにより店の宣伝などの演出を行なうことができる。
【図面の簡単な説明】
【図１】本発明におけるスクリーンの実施態様の一つである光透過性モノフィラメント繊維で構成された織物（メッシュクロス）の模式図である。
【図２】本発明に使用される２層構造のモノフィラメント繊維を示す模式図である。（ｂ）は（ａ）のＡ−Ａ断面図。
【図３】モノフィラメントの光拡散状態を示す模式図である。
【図４】本発明の織物、編物などの繊維構造体からなるスクリーンを光透過性材料で挟持したスクリーンにおける光拡散状態を示す模式図である。
【符号の説明】
１…モノフィラメント繊維
２…繊維間の空隙部
３…光透過性樹脂
４…液晶ポリマー
５…光透過性材料
【図１】
2004045443.tif 000003
【図２】
2004045443.tif 000004
【図３】
2004045443.tif 000005
【図４】
2004045443.tif 000006
【手続補正書】
【提出日】平成15年9月16日(2003.9.16)
【手続補正１】
【補正対象書類名】明細書
【補正対象項目名】特許請求の範囲
【補正方法】変更
【補正の内容】
【特許請求の範囲】
【請求項１】
液晶ポリマーを内層とし光透過性樹脂を外層とした２層構造からなる光透過性モノフィラメント繊維で構成され繊維間空隙率が１０〜７０％で、波長３８０ｎｍ〜７００ｎｍの可視光線における光透過率が７０％以上であり、光反射率が２０％以下である織物からなることを特徴とする透視可能な透過型スクリーン。
【請求項２】
前記光透過性モノフィラメント繊維は直径が２０〜５００μｍであることを特徴とする請求項１記載の透視可能な透過型スクリーン。
【請求項３】
前記光透過性モノフィラメント繊維で構成された織物を光透過性材料で挟持してなることを特徴とする請求項１または２記載の透視可能な透過型スクリーン。
【請求項４】
光透過性樹脂が、ポリエステル、ナイロン、ポリプロピレン、ポリエチレン、塩化ビニリデン、塩化ビニル、ポリエーテルナフタレート、ポリフェニレンサルファイドから選ばれる少なくとも１種であることを特徴とする請求項１〜３のいずれかに記載の透視可能な透過型スクリーン。
【請求項５】
光透過性材料が、アクリル系樹脂板またはシート、ポリオレフィン系樹脂板またはシート、ポリカーボネート樹脂板またはシートおよびポリエステル樹脂板またはシートから選ばれる少なくとも１種であることを特徴とする請求項１〜４のいずれかに記載の透視可能な透過型スクリーン。
【手続補正２】
【補正対象書類名】明細書
【補正対象項目名】０００３
【補正方法】変更
【補正の内容】
【０００３】
透過型スクリーンの透視性を改良した透視可能なものとして、例えば、特開２００１−２４２５４６には特定の球状微粒子を含有する光散乱相を用いた透視が可能な透過型スクリーンが提案されている。


【手続補正３】
【補正対象書類名】明細書
【補正対象項目名】０００６
【補正方法】変更
【補正の内容】
【０００６】
すなわち、本発明は、（１）液晶ポリマーを内層とし光透過性樹脂を外層とした２層構造からなる光透過性モノフィラメント繊維で構成され繊維間空隙率が１０〜７０％で、波長３８０ｎｍ〜７００ｎｍの可視光線における光透過率が７０％以上であり、光反射率が２０％以下である織物からなることを特徴とする透視可能な透過型スクリーンに関する。


【手続補正４】
【補正対象書類名】明細書
【補正対象項目名】０００７
【補正方法】変更
【補正の内容】
【０００７】
（２）前記光透過性モノフィラメント繊維は直径が２０〜５００μｍであることを特徴とする上記（１）記載の透視可能な透過型スクリーンに関する。
【手続補正５】
【補正対象書類名】明細書
【補正対象項目名】０００８
【補正方法】変更
【補正の内容】
【０００８】
（３）前記光透過性モノフィラメント繊維で構成された織物を光透過性材料で挟持してなることを特徴とする上記（１）または（２）記載の透視可能な透過型スクリーンに関する。
【手続補正６】
【補正対象書類名】明細書
【補正対象項目名】００１１
【補正方法】変更
【補正の内容】
【００１１】
（４）光透過性樹脂が、ポリエステル、ナイロン、ポリプロピレン、ポリエチレン、塩化ビニリデン、塩化ビニル、ポリエーテルナフタレート、ポリフェニレンサルファイドから選ばれる少なくとも１種であることを特徴とする上記（１）〜（３）のいずれかに記載の透視可能な透過型スクリーン。


【手続補正７】
【補正対象書類名】明細書
【補正対象項目名】００１２
【補正方法】変更
【補正の内容】
【００１２】
（５）光透過性材料が、アクリル系樹脂板またはシート、ポリオレフィン系樹脂板またはシート、ポリカーボネート樹脂板またはシートおよびポリエステル樹脂板またはシートから選ばれる少なくとも１種であることを特徴とする上記（１）〜（４）のいずれかに記載の透視可能な透過型スクリーンに関する。


【手続補正８】
【補正対象書類名】明細書
【補正対象項目名】００１３
【補正方法】変更
【補正の内容】
【００１３】
【発明の実施の形態】
本発明の透視可能な透過型スクリーンは、液晶ポリマーを内層とし光透過性樹脂を外層とした２層構造からなる光透過性モノフィラメント繊維からなる織物で構成される透過型スクリーンである。


【手続補正９】
【補正対象書類名】明細書
【補正対象項目名】００２１
【補正方法】変更
【補正の内容】
【００２１】
この２層構造のモノフィラメント繊維における外層を形成する光透過性樹脂は、例えば、ポリエステル、ナイロン、ポリプロピレン、ポリエチレン、塩化ビニリデン、塩化ビニル、ポリエーテルナフタレート、ポリフェニレンサルファイドから選ばれる少なくとも１種が挙げられる。


【手続補正１０】
【補正対象書類名】明細書
【補正対象項目名】０００９
【補正方法】削除
【補正の内容】
【手続補正１１】
【補正対象書類名】明細書
【補正対象項目名】００１０
【補正方法】削除
【補正の内容】
【手続補正１２】
【補正対象書類名】明細書
【補正対象項目名】００２６
【補正方法】削除
【補正の内容】